(57)【要約】【課題】本発明は、腕金における鳥類の営巣を確実に防止しつつ、安価に製造でき、取り付け作業が簡単であり、かつ作業者の技能や経験によらず効果を発揮しうる鳥類営巣防止具を提供することを目的とする。【解決手段】電柱５００の上部に平行に設置された２本の腕金５０２の間に鳥類が営巣することを防止する鳥類営巣防止具であって、上方を凸面として湾曲または屈曲した形状を有する長尺の本体１００と、湾曲させた辺の両端に設けた切欠１０２と、本体の両側辺下方にそれぞれ１以上設けた締結穴１０４とを備え、切欠１０２は２本の腕金５０２の間に渡された連結ボルト５０４ａと嵌合可能であって、かつ締結穴１０４は腕金５０２と隣接してこれと締結可能であることを特徴とする。【選択図】  図５
2008212097.tif 000002
【特許請求の範囲】
【請求項１】
電柱の上部に平行に設置された２本の腕金の間に鳥類が営巣することを防止する鳥類営巣防止具であって、
上方を凸面として湾曲または屈曲した形状を有する長尺の本体と、
湾曲させた辺の両端に設けた切欠と、
前記本体の両側辺近傍にそれぞれ１以上設けた締結穴とを備え、
前記切欠は２本の腕金の間に渡された連結ボルトと嵌合可能であって、かつ前記締結穴は前記腕金と隣接してこれと締結可能であることを特徴とする鳥類営巣防止具。
【請求項２】
前記本体は可撓性を有する略矩形の板材からなり、
前記切欠は前記板材の一辺の両端に設け、
前記締結穴は前記切欠を備えた辺に隣接する２辺にそれぞれ１以上設けたことを特徴とする請求項１記載の鳥類営巣防止具。
【請求項３】
前記締結穴は前記腕金の側面に貫通して設けられたボルト穴と締結可能であって、前記締結穴を前記ボルト穴よりも前記切欠から離れた位置に配置したことを特徴とする請求項１記載の鳥類営巣防止具。
【請求項４】
前記切欠は、該切欠の終端部に配置され前記連結ボルトの径より大きな径を有する円孔部と、前記連結ボルトの径より幅の狭い狭幅部とを有することを特徴とする請求項１記載の鳥類営巣防止具。
【請求項５】
前記切欠を備えた辺の中央部に、電柱の側面に対向する後退部を形成したことを特徴とする請求項１記載の鳥類営巣防止具。
【請求項６】
さらに前記切欠を備えた辺と対向する辺の両端に切欠を設け、
前記切欠および締結穴を前記板材の中心を軸とする点対称に配置したことを特徴とする請求項１記載の鳥類営巣防止具。
【発明の詳細な説明】
【技術分野】
【０００１】
本発明は、電柱の腕金に鳥類が営巣することを防止する鳥類営巣防止具に関するものである。
【背景技術】
【０００２】
電柱の装柱や電線にカラスや鳩などの鳥類がとまると、糞を落下させて機器や周囲の住宅、通行する人間に被害を及ぼす可能性がある。また鳥の数が増えればゴミを漁ったり、時として人間に襲いかかったりするため、鳥の増殖を抑える必要がある。
【０００３】
さらに電柱の上においては、濡れた鳥が電線間に触れたり、営巣材料が電線間に掛け渡されたりすることによって、短絡して停電するなど事故を発生する原因となる。特に営巣材料には導電体（例えばワイヤーハンガー）が混じることがあり、営巣による短絡の危険性が高くなっている。すなわち鳥の増殖を抑える意味もあわせて、特に営巣は防止すべき要請がある。
【０００４】
電柱には変圧器や開閉器などの装柱が取り付けられているが、これらは腕金と呼ばれるフレームに取り付けられる。この腕金は電柱に対し水平方向に張り出して取り付けられており、鳥にとってあたかも木の枝のように、格好の営巣場所となっている。また腕金の側面には多数の機器取り付け用のボルト穴が設けられているが、鳥はこのボルト穴に枝やワイヤーを差し込み、巣を固定するために利用してしまう。したがって、まずは腕金における鳥類の営巣を防止することが重要である。
【０００５】
従来からも、鳥害を防止するもの（営巣防止に限らず、鳥をとまらせないものを含む）として、さまざまな構成が提案されている。特許文献１（特開平１１−２８９６４４）には、針状の突起物によって鳥類を腕金にとまらせない構成が記載されている。また特許文献２（特開平０８−００９５４２）には、傘の骨のように放射状に垂下する複数の線材を有し、鳥をとまらせないと共に営巣材料を払い落とす装置が記載されている。また特許文献３（特開平０９−０２８２６８）には、腕金と電柱の接続部近傍を覆うカバーが記載されている。その他、粘着性のある薬剤を塗布して鳥類をとまらせないものや、光の反射で威嚇することにより鳥類を近づかせないものなどが実施されている。
【特許文献１】特開平１１−２８９６４４号公報
【特許文献２】特開平０８−００９５４２号公報
【特許文献３】特開平０９−０２８２６８号公報
【発明の開示】
【発明が解決しようとする課題】
【０００６】
しかし上記従来の構成にあっては、必ずしも営巣を防止するために万全ではない。特許文献１のように針状の突起物を設置するものや粘着剤は、時にそれ自体が営巣材料を固定することに利用されてしまう。光の反射は、鳥が慣れてしまうことが知られている。
【０００７】
特許文献２に記載の構成は、腕金に特化して開発されたものではないため、碍子などの付属物のために取り付けにくかったり、個々のサイズが小さいためにその数量や配置によって効果が変動してしまったりするという問題がある。数量が増えれば部品代が高くなると共に、取り付け作業の工数が増えるため、コスト増大の原因となる。配置は作業者の経験による場合もあり、少数で効果的に配置する作業者もいれば、多く設置しても営巣を許してしまう場合もある。特に、営巣場所である腕金と腕金の間の空間に取り付けることはできないため、わずかでも鳥がとまることのできる場所が残っていれば、営巣が可能である。
【０００８】
特許文献３に記載の構成は、電柱近傍において腕金と腕金の間の空間を塞いでいる。しかし２本の取り付けバンドで腕金を巻回して取り付ける構成であるため、取り付け時や経年使用時にずれが生じるおそれがある。またカバー本体に段差やネジよけの突出部を備えた立体形状であるため、製造に大きな金型が必要となってコスト増加を招き、また可搬性や収納性に改善の余地がある。さらに取り付けバンドが別部材であり、かつ独自品であることも、コスト増加の原因となるおそれがある。
【０００９】
そこで本発明は、腕金における鳥類の営巣を確実に防止し、かつ安価に製造でき、取り付け作業が簡単であり、かつ作業者の技能や経験によらず確実に営巣を防止しうる鳥類営巣防止具を提供することを目的としている。
【課題を解決するための手段】
【００１０】
上記課題を解決するために、本発明の代表的な構成は、電柱の上部に平行に設置された２本の腕金の間に鳥類が営巣することを防止する鳥類営巣防止具であって、上方を凸面として湾曲または屈曲した形状を有する長尺の本体と、湾曲させた辺の両端に設けた切欠と、本体の両側辺下方にそれぞれ１以上設けた締結穴とを備え、切欠は２本の腕金の間に渡された連結ボルトと嵌合可能であって、かつ締結穴は腕金と隣接してこれと締結可能であることを特徴とする。
【００１１】
上記構成によれば、腕金と腕金の間に上方に向かって湾曲または屈曲した山なり形状を形成するため、鳥が営巣材料を投下しても滑り落ちてしまい、営巣することができない。また、腕金の側面にあるボルト穴を隠すことで、巣の基礎となる枝の差し込みを防止する。したがって鳥類の営巣を確実に防止することができる。
【００１２】
また単一の部材で腕金の間の空間全体を覆うことができ、さらに本体以外の部材としてはバインド線や結束バンドなどの汎用消耗品を用いるに過ぎないため、極めて安価に製造することができる。
【００１３】
また一端を切欠によって嵌合し、他端近傍を締結するのみによって取り付けることができるため、取り付け作業の工数が少なく、極めて簡単に取り付けることができる。さらに腕金の長さ方向を１つの部材で覆うことにより、作業者の技能や経験によらず確実に営巣を防止することができる。
【００１４】
本体は可撓性を有する略矩形の板材からなり、切欠は一辺の両端に設け、締結穴は切欠を備えた辺に隣接する２辺にそれぞれ１以上設けることが好ましい。すなわち長尺の本体の山なり形状は、現地において湾曲または屈曲させてもよく、またはあらかじめ湾曲または屈曲させておいてもよい。これにより全体的に板材を切り出して形成することができ、可搬性が向上すると共に、さらに安価に製造することができる。
【００１５】
締結穴は腕金の側面に貫通して設けられたボルト穴と締結可能であって、締結穴をボルト穴よりも切欠から離れた位置に配置することが好ましい。これにより防止具本体を連結ボルト側に押しつけることができ、切欠が連結ボルトから外れてしまうことを防止することができる。締結穴は、腕金の上面よりも上方に露出することが好ましい。これにより腕金自体にバインド線等を巻回して締結することができる。また締結穴とボルト穴とが対向している場合には、防止具本体と腕金とをボルト締めすることもできる。
【００１６】
切欠は、該切欠の終端部に配置され連結ボルトの径より大きな径を有する円孔部と、連結ボルトの径より幅の狭い狭幅部とを有することが好ましい。これにより切欠を連結ボルトと嵌合させた際に、切欠の終端部に連結ボルトが位置するように位置決めすることができる。
【００１７】
また上記の切欠を備えた辺に隣接する２辺に、他の連結ボルトと嵌合可能な第２の切欠をさらに設けることでもよい。すなわち設置時において、上記の切欠は水平方向の切欠となって電柱近傍の連結ボルトと嵌合し、第２の切欠は垂直方向の切欠となって電柱から離れた位置の連結ボルトと嵌合する。これにより防止具本体を簡単かつ確実に位置決めし、また取り付け強度を補完することができる。
【００１８】
切欠を備えた辺の中央部に、電柱の側面に対向する後退部を形成することが好ましい。これにより電柱近傍の隙間をなくし、また切欠を確実に連結ボルトと嵌合させることができる。
【００１９】
さらに切欠を備えた辺と対向する辺の両端に切欠を設け、切欠および締結穴を板材の中心を軸とする点対称に配置することが好ましい。これにより防止具の前後両方から取り付けることができ、方向を選ばないため、さらに取り付け作業を簡単にすることができる。
【発明の効果】
【００２０】
本発明によれば、腕金における鳥類の営巣を確実に防止しつつ、安価に製造でき、取り付け作業が簡単であり、かつ作業者の技能や経験によらず効果を発揮しうる鳥類営巣防止具を提供することができる。
【発明を実施するための最良の形態】
【００２１】
本発明にかかる鳥類営巣防止具の実施形態について説明する。図１は鳥類営巣防止具の三面図、図２は鳥類営巣防止具の展開平面図、図３は取付手順を説明する図、図４は締結部の拡大説明図、図５は使用態様を説明する図である。なお、以下の実施形態に示す寸法、材料、その他具体的な数値などは、発明の理解を容易とするための例示に過ぎず、特に断る場合を除き、本発明を限定するものではない。
【００２２】
図１に示すように、本実施形態にかかる鳥類営巣防止具において、長尺の本体１００は可撓性を有する板材からなり、現地において設置時に上方を凸面として湾曲して取り付けられる。なお山なり形状は、現地において湾曲させてもよいが、あらかじめ湾曲させた形状に曲げ加工または成型してもよい。鳥類営巣防止具は、後述するように電柱５００の上部に平行に設置された２本の腕金５０２の間に設置し、鳥類が営巣することを防止するものである（図５参照）。
【００２３】
図２に示すように、本体１００は、展開すると略矩形となっている。本体１００の屈曲される辺１００ａの両端には、連結ボルト５０４ａと嵌合する切欠１０２（切れ込み）が設けられている。また対向する辺１００ｃの両端にも、同様に切欠１０２が設けられている。切欠１０２を備えた辺１００ａに隣接する２辺１００ｂ、１００ｄには、それぞれ複数の締結穴１０４が備えられている。したがって本体１００を屈曲させると、切欠は長尺の本体１００の湾曲させた辺の下方かつ両端に配置され、締結穴１０４は本体１００の両側辺下方に配置される。
【００２４】
また切欠を備える辺１００ａ、１００ｃの中央部には、電柱の側面に対向する後退部１０６を形成している。締結穴１０４を備える辺１００ｃ、１００の中央部には、電柱５００から離れた位置にある連結ボルト５０４ｂを位置させるための後退部１０８を形成している。
【００２５】
すなわち本体１００においては、切欠１０２および締結穴１０４を本体の中心を軸とする点対称に配置している。これにより本体１００の長尺方向の前後両方（図２の左右両方）から取り付けることができ、方向を選ばないため、取り付け作業を簡単にすることができる。
【００２６】
本体１００の材質に限定はないが、可撓性および耐候性を備えているものが好ましい。したがって例えば塩化ビニル、ポリエチレン、ポリカーボネートなどの樹脂材料を好適に用いることができる。
【００２７】
図３（ａ）は腕金の様子を説明する図であり、図３（ｂ）、図３（ｃ）は本体１００の取付手順を説明する図である。図３（ａ）に示すように、電柱５００には、その上部に平行に２本の腕金５０２が設置されており、連結ボルト５０４ａ、５０４ｂによって連結されている。また腕金５０２の側面には、連結ボルトやその他の機器を取り付けるための複数のボルト穴５０６が設けられている。この腕金５０２には図に示すように電線が引留されるほか、開閉器（不図示）が吊り下げられたり、変圧器（不図示）が載置されたりする。
【００２８】
図３（ｂ）に示すように、本体１００を設置する際は、本体１００を山なりに湾曲させた状態において、２本の腕金５０２の間に、これらの内側に沿うように挿入する。そして辺１００ａ（１００ｃ）の両端の切欠１０２を、電柱５００の近傍の連結ボルト５０４ａに嵌合させる。切欠１０２は、これが備えられた辺１００ａ（１００ｃ）が湾曲していることによって、水平方向に配置された連結ボルト５０４ａと円滑に嵌合することができる。
【００２９】
ここで切欠１０２は、切欠１０２の終端部に配置され連結ボルト５０４ａの径より大きな径を有する円孔部１０２ａと、連結ボルト５０４ａの径より幅の狭い狭幅部１０２ｂとから構成される。これにより切欠１０２を連結ボルト５０４ａと嵌合させた際に、切欠１０２の終端部に連結ボルト５０４ａが位置するように位置決めすることができる。
【００３０】
また切欠１０２を備える辺１００ａ（１００ｃ）に後退部１０６が形成されていることにより、切欠１０２近傍が深く挿入できることから、電柱５００近傍の隙間をなくし、また確実に連結ボルト５０４ａと嵌合させることができる。後退部１０６は本体１００を湾曲した際に水平方向に円弧を描く形状であることが好ましいが、図に示すように三角形状をなしていてもよい。
【００３１】
次に図３（ｃ）に示すように、締結穴１０４とボルト穴５０６とを例えばバインド線によって締結する。このとき電柱５００から離れた位置にも連結ボルト５０４ｂが配置されているが、締結穴１０４を備える辺１００ｂ、１００ｄに後退部１０８が設けられていることにより、本体１００の上面と腕金５０２の上面との平行を得ることができる。この状態において締結穴１０４は、腕金５０２の上面よりも上方に露出して配置される。
【００３２】
そして図４（ａ）に示すように、締結穴１０４とボルト穴５０６との間にバインド線や結束バンド１１２を挿通して結束する。締結穴１０４は、ボルト穴５０６よりも切欠１０２から（電柱５００から）離れた位置にくるように配置されている。したがって締結穴１０４とボルト穴５０６とを締結すると、本体１００を連結ボルト５０４ａ側（電柱５００側）に押しつけることができる。これにより、切欠１０２が連結ボルト５０４ａから外れてしまうことを防止することができる。
【００３３】
なお図４（ｂ）に示すように、締結穴１０４とボルト穴５０６とを締結するのではなく、腕金５０２全体に巻回して締結してもよい。また図４（ｃ）に示すように、締結穴１０４を腕金５０２の上方ではなく、締結穴１０４と対向して配置してもよい。この場合は締結穴１０４とボルト穴５０６とを、ボルト締めして締結固定することができる。
【００３４】
図５に示すように、上記構成の本体１００を上記の手順で取り付けることにより、腕金５０２と腕金５０２の間に山なり形状の本体１００を設置することができる。したがって鳥が営巣材料を投下しても滑り落ちてしまい、営巣することができない。また、腕金５０２の内側面にあるボルト穴５０６を隠すことで、巣の基礎となる枝の差し込みを防止することができる。したがって鳥類の営巣を確実に防止することができる。
【００３５】
また全体的に板材を切り出して形成することができ、単一の部材で腕金の間の空間全体を覆うことができ、さらに本体以外の部材としてはバインド線や結束バンドなどの汎用消耗品を用いるに過ぎないため、極めて安価に製造することができる。
【００３６】
また一端を切欠１０２によって嵌合し、他端の締結穴１０４を締結するのみによって取り付けることができるため、取り付け作業の工数が少なく、極めて簡単に取り付けることができる。さらに腕金５０２の長さ方向を１つの部材で覆うことにより、作業者の技能や経験によらず確実に効果を発揮することができる。
【００３７】
また取付部である切欠１０２および締結穴１０４近傍が腕金５０２の内側に配置されるため、取付部にあたる紫外線を最小限にすることができる。本体１００を構成する樹脂材料に紫外線があたると硬化して割れやすくなるおそれがあるが、上記構成により耐候性、すなわち経年使用に対する耐久性を向上させることができる。
【００３８】
なお、上記実施形態において本体１００は切欠１０２および締結穴１０４などを点対称に形成したが、一方向のみに取り付け可能に構成してもよい。両方向に取り付け可能であるという利点は減少するものの、低コスト、軽作業、効果確実などの本発明の利点は損なうことなく得ることができる。
【００３９】
［他の実施形態］
上記実施形態において電柱５００から離れた位置にある連結ボルト５０４ｂは、後退部１０８によって回避するよう説明した。しかし図６に示すように、締結穴１０４を備えた辺１００ｂ、１００ｄに、連結ボルト５０４ｂと嵌合可能な第２の切欠１１０をさらに設けることでもよい。すなわち設置時において、上記の切欠１０２は水平方向の切欠となって電柱５００近傍の連結ボルト５０４ａと嵌合し、第２の切欠１１０は垂直方向の切欠となって電柱５００から離れた位置の連結ボルト５０４ｂと嵌合する。これにより本体１００を簡単かつ確実に位置決めし、また取り付け強度を補完することができる。なおその場合においても、締結穴１０４と腕金５０２とを締結することが好ましい。
【００４０】
また上記実施形態において本体１００は全体的に山なりに湾曲させたアーチ形であると説明した。しかしアーチ形である場合、特に現地で湾曲させた場合には、常に中央部（最上部）に曲げ応力がかかるため、経年使用により中央部の湾曲が進行し、やがて割れてしまうおそれがある。したがって、あらかじめ加熱処理して曲げ加工しておいたり、射出成形によって湾曲した形状を形成してもよい。これにより経年使用に対する耐久性を向上させることができる。また射出成形による場合は、その内側（下面）に補強のためのリブなどの構造体を設けることができる。
【００４１】
さらに本体１００は、上方に載置された営巣材料が落下する形状であればよく、図７に示すように全体的に山なりに屈曲させた三角形状（切妻屋根形状）としてもよい。この場合、現地で屈曲させることは難しいため、板材であっても予め屈曲させた形状としておくことが好ましい。
【００４２】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００４３】
本発明は、電柱の腕金に鳥類が営巣することを防止する鳥類営巣防止具として利用することができる。
【図面の簡単な説明】
【００４４】
【図１】鳥類営巣防止具の三面図である。
【図２】鳥類営巣防止具の展開平面図である。
【図３】取付手順を説明する図である。
【図４】締結部の拡大説明図である。
【図５】使用態様を説明する図である。
【図６】第２の切欠を設けた例を示す図である。
【図７】本体の他の形状を説明する図である。
【符号の説明】
【００４５】
１００  …本体
１００ａ、１００ｂ、１００ｃ、１００ｄ  …辺
１０２  …切欠
１０２ａ  …円孔部
１０２ｂ  …狭幅部
１０４  …締結穴
１０６  …後退部
１０８  …後退部
１１０  …第２の切欠
５００  …電柱
５０２  …腕金
５０４  …連結ボルト
５０４ａ、５０４ｂ  …連結ボルト
５０６  …ボルト穴
【図１】
2008212097.tif 000003
【図２】
2008212097.tif 000004
【図３】
2008212097.tif 000005
【図４】
2008212097.tif 000006
【図５】
2008212097.tif 000007
【図６】
2008212097.tif 000008
【図７】
2008212097.tif 000009